(57)【要約】      （修正有）【課題】細幅のハンガーから広幅のハンガーまで簡単に装着できるハンガーパッド本体と固定具の組合せを提供する。【解決手段】ハンガーパッド本体は、左右両端部が凸形形状であり、中央部分が上下にくびれた形状であり、中心部にハンガーフック通し穴１０が設けられ、上下対称の４対の第１固定具通し穴１１，１２、２１，２２、３１，３２、４１，４２が左右対称に設けられる。使用時には、ハンガーフック通し穴１０にハンガーフックを通して、ハンガーを覆うようにし、４対の第１固定具通し穴に４個の帯状の固定具をそれぞれ通して、ハンガーに巻き付けて固定装着する。【選択図】図１
0003164482.tif 000002
【実用新案登録請求の範囲】
【請求項１】
ハンガーフック通し穴（１０）と４対の第１固定具通し穴（１１，１２）（２１，２２）（３１，３２）（４１，４２）を有し水平線に対して上下対称で垂直線に対して左右対称の一体成形の平板形状をしたハンガーパッド本体と４個の第１固定具（Ｂ１）（Ｂ２）（Ｂ３）（Ｂ４）の組合せにおいて、前記ハンガーパッド本体が、左右両端部が凸形形状をしてなり、中央部分が上下にくびれた形状をしてなり、中心部にハンガーフック通し穴（１０）が設けられ、４対の第１固定具通し穴（１１，１２）（２１，２２）（３１，３２）（４１，４２）が水平線に対して上下対称で垂直線に対して左右対称に設けられた構成をしてなり、ハンガーパッド本体と４個の第１固定具（Ｂ１）（Ｂ２）（Ｂ３）（Ｂ４）の組合せを使用する際には、ハンガーフック通し穴（１０）にハンガーフックを通して、ハンガー本体を弾性変形させてハンガーを覆うようにし、４対の第１固定具通し穴（１１，１２）（２１，２２）（３１，３２）（４１，４２）に４個の第１固定具（Ｂ１）（Ｂ２）（Ｂ３）（Ｂ４）をそれぞれ通して、４個の第１固定具（Ｂ１）（Ｂ２）（Ｂ３）（Ｂ４）により、ハンガーパッド本体と４個の第１固定具（Ｂ１）（Ｂ２）（Ｂ３）（Ｂ４）をハンガーに巻き付けて固定装着することを特徴とするハンガーパッド本体と４個の第１固定具（Ｂ１）（Ｂ２）（Ｂ３）（Ｂ４）の組合せ。
【請求項２】
前記ハンガーパッド本体の凸形形状をしてなる左右両端部に、円形状の肩パッドを接着してなることを特徴とする請求項１に記載されたハンガーパッド本体と４個の第１固定具（Ｂ１）（Ｂ２）（Ｂ３）（Ｂ４）の組合せ。
【請求項３】
ハンガーフック通し穴（１０）、４対の第１固定具通し穴（１１，１２）（２１，２２）（３１，３２）（４１，４２）と８対の第２固定具通し穴（１１１，１１２）（１２１，１２２）（１３１，１３２）（１４１，１４２）（１５１，１５２）（１６１，１６２）（１７１，１７２）（１８１，１８２）を有し水平線に対して上下対称で垂直線に対して左右対称の一体成形の平板形状をしたハンガーパッド本体と４個の第２固定具（ｂ１）（ｂ２）（ｂ３）（ｂ４）の組合せにおいて、前記ハンガーパッド本体が、左右両端部が凸形形状をしてなり、中央部分が上下にくびれた形状をしてなり、中心部にハンガーフック通し穴（１０）が設けられ、４対の第１固定具通し穴（１１，１２）（２１，２２）（３１，３２）（４１，４２）が上下左右対称に設けられ、さらにそれらの外側に、８対の第２固定具通し穴（１１１，１１２）（１２１，１２２）（１３１，１３２）（１４１，１４２）（１５１，１５２）（１６１，１６２）（１７１，１７２）（１８１，１８２）が上下左右対称に設けられた構成をしてなり、ハンガーパッド本体と４対の第２固定具（ｂ１）（ｂ２）（ｂ３）（ｂ４）の組合せを使用する際には、ハンガーフック通し穴（１０）にハンガーフックを通して、ハンガー本体を弾性変形させてハンガーを覆うようにし、８対の第２固定具通し穴から選択された４対の第２固定具通し穴に４個の第２固定具（ｂ１）（ｂ２）（ｂ３）（ｂ４）をそれぞれ通して、４個の第２固定具（ｂ１）（ｂ２）（ｂ３）（ｂ４）により、ハンガーパッド本体と４個の第２固定具（ｂ１）（ｂ２）（ｂ３）（ｂ４）をハンガーに巻き付けて固定装着することを特徴とする請求項１〜２の何れかに記載されたハンガーパッド本体と４対の第２固定具（ｂ１）（ｂ２）（ｂ３）（ｂ４）の組合せ。
【請求項４】
前記ハンガーパッド本体の凸形形状をしてなる左右両端部に、円形状の肩パッドを接着してなることを特徴とする請求項１〜３の何れかに記載されたハンガーパッド本体と４対の第２固定具（ｂ１）（ｂ２）（ｂ３）（ｂ４）の組合せ。
【考案の詳細な説明】
【技術分野】
【０００１】
本考案は、ハンガーに装着し衣類の肩部の型崩れ・シワを防ぐのを目的とするハンガーパッド本体と帯状固定具の組合せに関する。
【背景技術】
【０００２】
従来においては、通常のハンガーは細幅のものが圧倒的に多く、かつ、ハンガーに取り付けるハンガーパッドも左右肩の一部分にしか装着することができないものであったり、あるいは、プラスチック製の固くて狭幅のハンガーパッドが大半を占めていた。
従来のハンガーパッドは、革ジャンバー、ゴム製品のウエットスーツ、洗濯した後のワイシャツ等を吊るすためには重過ぎて、ハンガーパッドの肩部に大きな負担がかかっていた。
【０００３】
従来のような固くて幅の不十分なハンガーやパットには、革ジャンバー、ゴム製品のウエットスーツ、洗濯した後のワイシャツ等のようなデリケートな衣類の肩部の肩崩れ、シワ、あるいは、ゴムの劣化等を早期に引き起こしていたという欠点があった。
また、従来のような幅の広いハンガーは、そのまま収納する場合、ハンガー自体のスペースがかさ張り、ハンガーの収納を難しくしていたという欠点を有していた。
本考案とは直接は関係ないと思料するが、出願人が知得している特許文献を、以下示す。
【先行技術文献】
【特許文献】
【０００４】
【特許文献１】特開２００９−１７８２４６号公報
【考案の概要】
【考案が解決しようとする課題】
【０００５】
○本考案が解決しようとする第１課題
本考案が解決しようとする第１課題は、細幅のハンガーから広幅のハンガーまで簡単に装着できるハンガーパッド本体と帯状固定具の組合せを提供することである。
○本考案が解決しようとする第２課題
本考案が解決しようとする第１課題は、ハンガーパットをハンガーに装着しない時は省スペースで保管できるスペースで保管できるハンガーパッド本体と帯状固定具の組合せを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下、用語の説明及び符号の説明を行うこととする。
＜用語の説明＞
○ハンガー本体とは、弾性変形させてハンガーを覆うようにした後、洋服を吊るすものである。すなわち、ハンガー本体を弾性変形させてハンガーに被せて洋服を吊るすものである。
○ハンガーフック通し穴とは、ハンガーフックを通すためにハンガーパッド本体の中央部に設けられた穴である。
○固定具通し穴とは、固定具を通すためにハンガーパッド本体に設けられた穴であって、ハンガーパッド本体の水平線に対して上下対称でハンガーパッド本体垂直線に対して左右対称に設けられた構成をしてなり、第１固定具通し穴及び／又は第２固定具通し穴をいう。
○固定具とはハンガーに巻き付けてハンガー本体とハンガーを固定装着するものであり、第１固定具及び／又は第２固定具をいう。
第１固定具とは、帯状形状の固定具であり、固定具の両端部は、面ファスナー等の手段により脱着可能に結合される。
第２固定具とは、帯状の固定具、断面が円形状でロの字形状をした固定具等が例示され、固定具の両端部は、面ファスナー等の手段により脱着可能に結合される。
○第１固定具通し穴とは、第１固定具を通すためにハンガーパッド本体に設けられた穴であって、ハンガーパッド本体の水平線に対して上下対称でハンガーパッド本体垂直線に対して左右対称に設けられた構成をしてなる。
○第１固定具とはハンガーに巻き付けてハンガー本体とハンガーを固定装着するものである。
○第２固定具通し穴とは、第２固定具を通すためにハンガーパッド本体に設けられた穴であって、ハンガーパッド本体の水平線に対して上下対称でハンガーパッド本体垂直線に対して左右対称に設けられた構成をしてなる。
○第２固定具とは、ハンガーに巻き付けてハンガー本体とハンガーを固定装着するものである。
○左右両端部とは、ハンガーパッド本体の長手方向を水平線方向に取れば、ハンガーパッド本体の左右両端部である。
○中央部分とは、ハンガーパッド本体の長手方向を水平線方向に取れば、ハンガーパッド本体の中央部である。
○ハンガーとは、一般には、市販されている洋服掛けをいう。ハンガーの形状は、肩幅程度のゆるくくの字に曲がった棒、あるいは、ゆるい曲線を描く三角形で、同時にズボンをつるすことができるもの等がある。
○ハンガーフックとは、ハンガーを棒などに引っ掛けてつるすための鉤形の留め具（ハンガーハンガーの一部分をいう。
＜符号の説明＞
○４個の第１固定具は、（Ｂ１）（Ｂ２）（Ｂ３）（Ｂ４）で表す。
○４対の第１固定具通し穴は、（１１，１２）（２１，２２）（３１，３２）（４１，４２）で表す。
○４対の第２固定具は、（ｂ１）（ｂ２）（ｂ３）（ｂ４）で表す。
○８対の第２固定具通し穴は、（１１１，１１２）（１２１，１２２）（１３１，１３２）（１４１，１４２）（１５１，１５２）（１６１，１６２）（１７１，１７２）（１８１，１８２）で表す。
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、ハンガーフック通し穴（１０）と４対の第１固定具通し穴（１１，１２）（２１，２２）（３１，３２）（４１，４２）を有し水平線に対して上下対称で垂直線に対して左右対称の一体成形の平板形状をしたハンガーパッド本体と４個の第１固定具（Ｂ１）（Ｂ２）（Ｂ３）（Ｂ４）の組合せにおいて、前記ハンガーパッド本体が、左右両端部が凸形形状をしてなり、中央部分が上下にくびれた形状をしてなり、中心部にハンガーフック通し穴（１０）が設けられ、４対の第１固定具通し穴（１１，１２）（２１，２２）（３１，３２）（４１，４２）が水平線に対して上下対称で垂直線に対して左右対称に設けられた構成をしてなり、ハンガーパッド本体と４個の第１固定具（Ｂ１）（Ｂ２）（Ｂ３）（Ｂ４）の組合せを使用する際には、ハンガーフック通し穴（１０）にハンガーフックを通して、ハンガー本体を弾性変形させてハンガーを覆うようにし、４対の第１固定具通し穴（１１，１２）（２１，２２）（３１，３２）（４１，４２）に４個の第１固定具（Ｂ１）（Ｂ２）（Ｂ３）（Ｂ４）をそれぞれ通して、４個の第１固定具（Ｂ１）（Ｂ２）（Ｂ３）（Ｂ４）により、ハンガーパッド本体と４個の第１固定具（Ｂ１）（Ｂ２）（Ｂ３）（Ｂ４）をハンガーに巻き付けて固定装着することを特徴とするハンガーパッド本体と４個の第１固定具（Ｂ１）（Ｂ２）（Ｂ３）（Ｂ４）の組合せである。
○第２の考案（請求項２に記載の考案）
●上記の課題を解決するための第２の考案（請求項２に記載の考案）は、前記ハンガーパッド本体の凸形形状をしてなる左右両端部に、円形状の肩パッドを接着してなることを特徴とする請求項１に記載されたハンガーパッド本体と４個の第１固定具（Ｂ１）（Ｂ２）（Ｂ３）（Ｂ４）の組合せである。
○第３の考案（請求項３に記載の考案）
●上記の課題を解決するための第３の考案（請求項３に記載の考案）は、ハンガーフック通し穴（１０）、４対の第１固定具通し穴（１１，１２）（２１，２２）（３１，３２）（４１，４２）と８対の第２固定具通し穴（１１１，１１２）（１２１，１２２）（１３１，１３２）（１４１，１４２）（１５１，１５２）（１６１，１６２）（１７１，１７２）（１８１，１８２）を有し水平線に対して上下対称で垂直線に対して左右対称の一体成形の平板形状をしたハンガーパッド本体と４個の第２固定具（ｂ１）（ｂ２）（ｂ３）（ｂ４）の組合せにおいて、前記ハンガーパッド本体が、左右両端部が凸形形状をしてなり、中央部分が上下にくびれた形状をしてなり、中心部にハンガーフック通し穴（１０）が設けられ、４対の第１固定具通し穴（１１，１２）（２１，２２）（３１，３２）（４１，４２）が上下左右対称に設けられ、さらにそれらの外側に、８対の第２固定具通し穴（１１１，１１２）（１２１，１２２）（１３１，１３２）（１４１，１４２）（１５１，１５２）（１６１，１６２）（１７１，１７２）（１８１，１８２）が上下左右対称に設けられた構成をしてなり、ハンガーパッド本体と４対の第２固定具（ｂ１）（ｂ２）（ｂ３）（ｂ４）の組合せを使用する際には、ハンガーフック通し穴（１０）にハンガーフックを通して、ハンガー本体を弾性変形させてハンガーを覆うようにし、８対の第２固定具通し穴から選択された４対の第２固定具通し穴に４個の第２固定具（ｂ１）（ｂ２）（ｂ３）（ｂ４）をそれぞれ通して、４個の第２固定具（ｂ１）（ｂ２）（ｂ３）（ｂ４）により、ハンガーパッド本体と４個の第２固定具（ｂ１）（ｂ２）（ｂ３）（ｂ４）をハンガーに巻き付けて固定装着することを特徴とする請求項１〜２の何れかに記載されたハンガーパッド本体と４対の第２固定具（ｂ１）（ｂ２）（ｂ３）（ｂ４）の組合せである。
○第４の考案（請求項４に記載の考案）
●上記の課題を解決するための第４の考案（請求項４に記載の考案）は、前記ハンガーパッド本体の凸形形状をしてなる左右両端部に、円形状の肩パッドを接着してなることを特徴とする請求項１〜３の何れかに記載されたハンガーパッド本体と４対の第２固定具（ｂ１）（ｂ２）（ｂ３）（ｂ４）の組合せである。
【考案の効果】
【０００７】
本考案に係る、ハンガーパッド本体と４個の第１固定具（Ｂ１）（Ｂ２）（Ｂ３）（Ｂ４）の組合せは、上記のような特徴的構成用件から構成され、特徴的構成要件に応じた、以下のような本願考案特有の効果を奏する。
また、上記の各考案に応じた、上記のような特徴的構成要件から構成されたハンガーパッド本体と４個の第１固定具（Ｂ１）（Ｂ２）（Ｂ３）（Ｂ４）の組合せによれば、本願考案の課題を十分解消することができた。
○第１の考案の効果
・第１の考案によれば、請求項１に記載された特徴的構成要件により、本考案が解決しようとする第１課題〜第２課題を達成することができ、当業者予測不可能な顕著な効果を奏することができた。
○第２の考案の効果
・第２の考案によれば、請求項２に記載された特徴的構成要件により、本考案が解決しようとする第１課題〜第２課題を達成することができ、当業者予測不可能な顕著な効果を奏することができた。
○第３の考案の効果
・第３の考案によれば、請求項３に記載された特徴的構成要件により、本考案が解決しようとする第１課題〜第２課題を達成することができ、当業者予測不可能な顕著な効果を奏することができた。
○第４の考案の効果
・第４の考案によれば、請求項４に記載された特徴的構成要件により、本考案が解決しようとする第１課題〜第２課題を達成することができ、当業者予測不可能な顕著な効果を奏することができた。
【考案を実施するための最良の形態】
【０００８】
以下、本考案に係る、ハンガーパッド本体と４個の第１固定具（Ｂ１）（Ｂ２）（Ｂ３）（Ｂ４）の組合せに関する最良の実施形態について、図面を参照しながら説明する  。
［図１］図１は、本願考案に係る、ハンガーパッド本体の平面図である。
図１（ａ）は、本願考案に係る、ハンガーパッド本体（標準タイプ）の平面図である。
図１（ｂ）は、本願考案に係る、ハンガーパッド本体（第２の考案）の平面図である。
図１（ｃ）は、本願考案に係る、ハンガーパッド本体（第３の考案）の平面図である。
［図２］図２は、幅広でくの字型のハンガーにハンガーパッド本体を装着する状態図である。
図２（ａ）は、ハンガーにハンガーパッド本体を装着する途中の状態図である。
図２（ｂ）は、ハンガーにハンガーパッド本体を装着し終えた後の状態図である。
［図３］図３は、針金からなる三角形型のハンガーにハンガーパッド本体を装着する状態図である。
図３（ａ）は、ハンガーにハンガーパッド本体を装着する途中の状態図である。
図３（ｂ）は、ハンガーにハンガーパッド本体を装着し終えた後の状態図である。
［図４］図４は、第２固定具の他の実施形態の正面図である。
［図５］図５は、ロの字形状をした第２固定具によりハンガーにハンガーパッド本体を装着す状態図である。
図５（ａ）は、ロの字形状をした第２固定具によりハンガーにハンガーパッド本体を装着する途中の状態図である。
図５（ｂ）は、ロの字形状をした第２固定具によりハンガーにハンガーパッド本体を装着し終えた後の状態図（断面図）である。
以下、本考案に係る、ハンガーパッド本体ＨＰと４個の第１固定具（Ｂ１）（Ｂ２）（Ｂ３）（Ｂ４）の組合せについて、［図１］〜［図５］の図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案（第１の考案）は、ハンガーパッド本体ＨＰと４個の第１固定具（Ｂ１）（Ｂ２）（Ｂ３）（Ｂ４）の組合せの考案である。
ハンガーパッド本体ＨＰ（ハンガーパッド本体ＨＰは、耐水性・弾力性を有し、ＥＶＡ樹脂・ポリエチレン・ポリプロピレン等の材料が使用され、軽量で襟元から肩部まで幅広な本体パットが提供される。さらに、（ハンガーパッド本体ＨＰは、小さいサイズに簡単にカットでき、その大きさを調整できるという顕著な効果を有する。）は、ハンガーフック通し穴（１０）と４対の第１固定具通し穴（１１，１２）（２１，２２）（３１，３２）（４１，４２）を有し、ハンガーパッド本体ＨＰの形状は、水平線（Ｈ−Ｈ線）に対して上下対称で垂直線（Ｖ−Ｖ線）に対して左右対称の一体成形の平板形状をしている。
さらに、ハンガーパッド本体は、左右両端部ＬＲＡが凸形形状をしてなり（左右両端部ＬＲＡの凸形形状により重い衣類・ウエットスーツなどの肩口を無理なく支えることができる。）、中央部分ＣＡが上下にくびれた形状をしてなり、中心部にハンガーフック通し穴（１０）が設けられ、４対の第１固定具通し穴（１１，１２）（２１，２２）（３１，３２）（４１，４２）が水平線（Ｈ−Ｈ線）に対して上下対称で垂直線（Ｖ−Ｖ線）に対して左右対称に設けられた構成をしてなる。
ハンガーパッド本体ＨＰと４個の第１固定具（Ｂ１）（Ｂ２）（Ｂ３）（Ｂ４）の組合せを使用する際には、ハンガーフック通し穴（１０）にハンガーフックＨＨを通して、ハンガーＨＧ本体を弾性変形させてハンガーＨＧを覆うようにし、４対の固定具通し穴（１１，１２）（２１，２２）（３１，３２）（４１，４２）に４個の第１固定具（Ｂ１）（Ｂ２）（Ｂ３）（Ｂ４）をそれぞれ通して、４個の第１固定具（Ｂ１）（Ｂ２）（Ｂ３）（Ｂ４）により、ハンガーパッド本体ＨＰと４個の第１固定具（Ｂ１）（Ｂ２）（Ｂ３）（Ｂ４）をハンガーＨＧに巻き付けて固定装着する。
上記のようにして構成されたソフトで左右一体型の幅広パット（第１の考案）は、襟元から肩部まで優しく衣類を支え、長時間保管でも肩部の負担を軽減できるという顕著な効果を奏する。
○第１の考案の効果
・第１の考案によれば、上記実施態様の特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のハンガーパッド本体ＨＰと４個の第１固定具（Ｂ１）（Ｂ２）（Ｂ３）（Ｂ４）の組合せにおいて、前記ハンガーパッド本体ＨＰの凸形形状をしてなる左右両端部ＬＲＡに、円形状の肩パッド（円形状の肩パッドにより重い衣類・ウエットスーツなどの肩口を無理なく支えることができる。）を接着してなることを特徴とするハンガーパッド本体ＨＰと４個の第１固定具（Ｂ１）（Ｂ２）（Ｂ３）（Ｂ４）の組合せ（第２の考案）が開示されている。
○第２の考案の効果
・第２の考案によれば、上記実施態様の特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案は、ハンガーパッド本体ＨＰと対の第２固定具（ｂ１）（ｂ２）（ｂ３）（ｂ４）の組合せの考案（第３の考案）である。
ハンガーパッド本体ＨＰは、ハンガーフック通し穴（１０）、４対の第１固定具通し穴（１１，１２）（２１，２２）（３１，３２）（４１，４２）と８対の第２固定具通し穴（１１１，１１２）（１２１，１２２）（１３１，１３２）（１４１，１４２）（１５１，１５２）（１６１，１６２）（１７１，１７２）（１８１，１８２）を有し、水平線（Ｈ−Ｈ線）に対して上下対称で垂直線（Ｖ−Ｖ線）に対して左右対称の一体成形の平板形状をしている。
前記ハンガーパッド本体ＨＰは、左右両端部ＬＲＡが凸形形状をしてなり、中央部分ＣＡが上下にくびれた形状をしてなり、中心部にハンガーフック通し穴（１０）が設けられ、４対の固定具通し穴（１１，１２）（２１，２２）（３１，３２）（４１，４２）が上下左右対称に設けられ、さらにそれらの外側に、８対の第２固定具通し穴（１１１，１１２）（１２１，１２２）（１３１，１３２）（１４１，１４２）（１５１，１５２）（１６１，１６２）（１７１，１７２）（１８１，１８２）が上下左右対称に設けられた構成をしている。
ハンガーパッド本体ＨＰと４対の第２固定具（ｂ１）（ｂ２）（ｂ３）（ｂ４）の組合せを使用する際には、ハンガーフック通し穴（１０）にハンガーフックＨＨを通して、ハンガーＨＧ本体を弾性変形させてハンガーＨＧを覆うようにし、８対の第２固定具通し穴から選択された４対の第２固定具通し穴に４個の第２固定具（ｂ１）（ｂ２）（ｂ３）（ｂ４）をそれぞれ通して、４個の第２固定具（ｂ１）（ｂ２）（ｂ３）（ｂ４）により、ハンガーパッド本体ＨＰと４個の第２固定具（ｂ１）（ｂ２）（ｂ３）（ｂ４）をハンガーＨＧに巻き付けて固定装着する。
○第３の考案の効果
・第３の考案によれば、上記実施態様の特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のハンガーパッド本体ＨＰと４対の第２固定具（ｂ１）（ｂ２）（ｂ３）（ｂ４）の組合せにおいて、前記ハンガーパッド本体ＨＰの凸形形状をしてなる左右両端部ＬＲＡに、円形状の肩パッドを接着してなることを特徴とする請求項１〜３の何れかに記載されたハンガーパッド本体ＨＰと４対の第２固定具（ｂ１）（ｂ２）（ｂ３）（ｂ４）の組合せ（第４の考案）が開示されている。
○     第４の考案の効果
・第４の考案によれば、上記実施態様の特徴的な構成要件により、本考案が解決しようとする第１課題〜第２課題を達成することができ、当業者予測不可能な顕著な効果を奏することができた。
【図面の簡単な説明】
【０００９】
【図１】図１は、本願考案に係る、ハンガーパッド本体の平面図である。図１（ａ）は、本願考案に係る、ハンガーパッド本体（標準タイプ）の平面図である。図１（ｂ）は、本願考案に係る、ハンガーパッド本体（第２の考案）の平面図である。図１（ｃ）は、本願考案に係る、ハンガーパッド本体（第３の考案）の平面図である。
【図２】図２は、幅広でくの字型のハンガーにハンガーパッド本体を装着する状態図である。図２（ａ）は、ハンガーにハンガーパッド本体を装着する途中の状態図である。図２（ｂ）は、ハンガーにハンガーパッド本体を装着し終えた後の状態図である。
【図３】図３は、針金からなる三角形型のハンガーにハンガーパッド本体を装着する状態図である。  図３（ａ）は、ハンガーにハンガーパッド本体を装着する途中の状態図である。  図３（ｂ）は、ハンガーにハンガーパッド本体を装着し終えた後の状態図である。
【図４】図４は、第２固定具の他の実施形態の正面図である。
【図５】図５は、ロの字形状をした第２固定具によりハンガーにハンガーパッド本体を装着す状態図である。  図５（ａ）は、ロの字形状をした第２固定具によりハンガーにハンガーパッド本体を装着する途中の状態図である。図５（ｂ）は、ロの字形状をした第２固定具によりハンガーにハンガーパッド本体を装着し終えた後の状態図（断面図）である。
【符号の説明】
【００１０】
１０……ハンガーフック通し穴
……第１固定具通し穴
１１、１２、２１，２２、３１、３２、４１、４２……第１固定具
ＨＰ……ハンガーパッド本体
ＬＲＡ……左右両端部
ＣＡ……中央部分
ＨＧ……ハンガー
ＨＨ……ハンガーフック
１１１、１１２、１２１、１２２、１３１、１３２、１４１、１４２、１５１、１５２、１６１、１６２、１７１、１７２、１８１、１８２……第２固定具通し穴
ｂ１、ｂ２、ｂ３、ｂ４……第２固定具
Ｈ−Ｈ線……水平線
Ｖ−Ｖ線……垂直線 
【図１】
0003164482.tif 000003
【図２】
0003164482.tif 000004
【図３】
0003164482.tif 000005
【図４】
0003164482.tif 000006
【図５】
0003164482.tif 000007